(57)【要約】【課題】  ネットの取付状態が安定すると共に、ネットが容易に取り付け及び取り外しすることのできるネット係止具を提供する。【解決手段】  ネット係止具１０は、構造体７に固定された平板状のベース体２０と、ベース体２０に取り付けられた係止体３０とによって構成されている。ベース体２０の上面の内方側には、突起部２２が長手方向（図３の紙面に直交する方向）に連続して形成されている。係止体３０は、先端側部分３１を有する断面状態においてＳ字状に形成されている。先端側部分３１は、ベース体２０の突起部２２に押し付けられるように付勢されていると共に、その状態から上方に移動させて突起部２２との間にスペースを形成することが可能である。そのため、ネット５の横糸１７は係止体３０の先端側部分３１とベース体２０の突起部２２との間から容易に脱着することができる。又、ネット５が不用意に外れる虞が無いため、ネット５の取付状態が安定する。【選択図】  図３
0003156987.tif 000002
【実用新案登録請求の範囲】
【請求項１】
ネットを壁面等の被取付物に取り付けるためのネット係止具であって、
前記被取付物に固定されるベース体と、
前記ベース体に取り付けられ、その先端側部分に前記ネットが挿通される係止体とを備え、
前記係止体は、前記先端側部分が前記ベース体に押し付けられるように付勢されると共に、前記先端側部分が前記ベース体から離れるように変形可能である、ネット係止具。
【請求項２】
前記ベース体は、長手方向に延びる平板形状を有し、
前記係止体は、前記長手方向に対して前記先端側部分が所定間隔をおいて複数整列して配置される、請求項１記載のネット係止具。
【請求項３】
前記ベース体は、合成樹脂の押し出し成形により形成され、
前記係止体は、金属棒の折り曲げにより形成され、前記先端側部分を除く部分の一部が前記ベース体の成形方向に沿って挿入されると共に、挿入状態において、前記成形方向に直交する方向に対して抜け止め状態に前記ベース体に係合する、請求項２記載のネット係止具。
【請求項４】
前記ベース体に対して、前記係止体は少なくとも２組係合し、
前記ベース体の前記成形方向の長さに対して、前記係止体の各々の挿入方向の長さの合計は約２分の１である、請求項３記載のネット係止具。
【請求項５】
前記係止体の前記先端側部分を覆うように前記ベース体に着脱自在に取り付けられ、前記係止体における前記先端側部分の前記ベース体からの分離を阻止するロック体を更に備えた、請求項１から請求項４のいずれかに記載のネット係止具。
【考案の詳細な説明】
【技術分野】
【０００１】
この考案はネット係止具に関し、特に、鳥類の侵入等を防止するためのネットを、壁面等の被取付物に取り付けるためのネット係止具に関するものである。
【背景技術】
【０００２】
鳥類の浸入の防止等、各種用途に用いるネットを、種々のネット係止具を介して壁面等の被取付物に取り付ける方法が提案されている。その中で一般的なものとして、ネットをフレームロープ（フレームワイヤー）に太糸で巻き付けて接続したもの、又はフレームロープにネットハンガーで接続したものを、被取付物に固定したフックに取り付ける方法がある。ここで、上述したネットハンガーを用いたネットの取り付け方法（例えば、特許文献１）について説明する。
【０００３】
図１１は特許文献１で開示されたネット係止具を介してネットを取り付けた状態を示す部分正面図である。
図を参照して、ネット６３は、その外縁が複数のネットハンガー６５を介してフレームワイヤー６２に接続されている。そして、ネット６３を接続したフレームワイヤー６２は、被取付物であるコンクリート壁等の基体６１に固定された複数のフック６４に取り付けられている。ネット６３は、このようにして基体６１に取り付けられている。
【先行技術文献】
【特許文献】
【０００４】
【特許文献１】特開２０００−１４０１７４号公報
【考案の概要】
【考案が解決しようとする課題】
【０００５】
上記のような従来のネット係止具では、ネットを取り付ける前に、被取付物に穴を形成する等してフックを固定する必要があると共に、ネットを取り付ける際には、フレームワイヤーを複数のフックに掛けて取り付ける必要があるため、手間が掛かっていた。又、ネットを取り外す際には、フレームワイヤーをフック毎に取り外す必要があるため、取り外しが困難であり、特に火災等の緊急時に対応し難いものとなっていた。
【０００６】
この考案は、上記のような課題を解決するためになされたもので、ネットの取付状態が安定すると共に、ネットが容易に取り付け及び取り外しすることのできるネット係止具を提供することを目的とする。
【課題を解決するための手段】
【０００７】
上記の目的を達成するために、請求項１記載の考案は、ネットを壁面等の被取付物に取り付けるためのネット係止具であって、被取付物に固定されるベース体と、ベース体に取り付けられ、その先端側部分にネットが挿通される係止体とを備え、係止体は、先端側部分がベース体に押し付けられるように付勢されると共に、先端側部分がベース体から離れるように変形可能であるものである。
【０００８】
このように構成すると、係止体の先端側部分とベース体との間からネットを脱着できる。
【０００９】
請求項２記載の考案は、請求項１記載の考案の構成において、ベース体は、長手方向に延びる平板形状を有し、係止体は、長手方向に対して先端側部分が所定間隔をおいて複数整列して配置されるものである。
【００１０】
このように構成すると、ネットは複数の先端側部分に係合する。
【００１１】
請求項３記載の考案は、請求項２記載の考案の構成において、ベース体は、合成樹脂の押し出し成形により形成され、係止体は、金属棒の折り曲げにより形成され、先端側部分を除く部分の一部がベース体の成形方向に沿って挿入されると共に、挿入状態において、成形方向に直交する方向に対して抜け止め状態にベース体に係合するものである。
【００１２】
このように構成すると、係止体はベース体に対してスライド可能になると共に、その直交方向に対しては外れることが無い。
【００１３】
請求項４記載の考案は、請求項３記載の考案の構成において、ベース体に対して、係止体は少なくとも２組係合し、ベース体の成形方向の長さに対して、係止体の各々の挿入方向の長さの合計は約２分の１であるものである。
【００１４】
このように構成すると、１つのベース体に対してネットは少なくとも２組の係止体に係合する。
【００１５】
請求項５記載の考案は、請求項１から請求項４のいずれかに記載の考案の構成において、係止体の先端側部分を覆うようにベース体に着脱自在に取り付けられ、係止体における先端側部分のベース体からの分離を阻止するロック体を更に備えたものである。
【００１６】
このように構成すると、係止体における先端側部分のベース体からの不用意な分離が阻止される。
【考案の効果】
【００１７】
以上説明したように、請求項１記載の考案は、係止体の先端側部分とベース体との間からネットを脱着できるため、ネットの脱着が容易となり、取付状態が安定する。
【００１８】
請求項２記載の考案は、請求項１記載の考案の効果に加えて、ネットは複数の先端側部分に係合するため、ネットの取付状態がより安定する。
【００１９】
請求項３記載の考案は、請求項２記載の考案の効果に加えて、係止体はベース体に対してスライド可能になるため、ネットに対する先端側部分の取付位置の微調整が可能になる。又、係止体はベース体の直交方向に対しては外れることが無いため、係止体の取付状態が安定する。
【００２０】
請求項４記載の考案は、請求項３記載の考案の効果に加えて、１つのベース体に対してネットは少なくとも２組の係止体に係合するため、ネットの取付状態が更に安定すると共に、効率的な係止具となる。
【００２１】
請求項５記載の考案は、請求項１から請求項４のいずれかに記載の考案の効果に加えて、係止体における先端側部分のベース体からの不用意な分離が阻止されるため、係止体に対するネットの取付状態の信頼性がより向上する。
【図面の簡単な説明】
【００２２】
【図１】この考案の第１の実施の形態によるネット係止具を介してネットを被取付物に取り付けた状態を示す概略斜視図である。
【図２】図１で示したＩＩ−ＩＩラインの拡大概略断面図である。
【図３】図２で示したＸ部分の拡大図である。
【図４】図３で示したＩＶ−ＩＶラインの断面図である。
【図５】図３で示したＶ−Ｖラインの断面図である。
【図６】図２で示したＶＩ−ＶＩラインの拡大断面図である。
【図７】図３で示したベース体への係止体の取付方法を示す斜視図である。
【図８】図３で示したネット係止具にネットを取り付ける工程を示した断面図であって、図３に対応するものである。
【図９】図３で示したネット係止具からネットを取り外す工程を示した断面図であって、図８に対応するものである。
【図１０】この考案の第２の実施の形態によるネット係止具を示す断面図であって、第１の実施の形態の図３に対応するものである。
【図１１】従来のネット係止具を介してネットを取り付けた状態を示す部分正面図である。
【考案を実施するための形態】
【００２３】
図１はこの考案の第１の実施の形態によるネット係止具を介してネットを被取付物に取り付けた状態を示す概略斜視図であり、図２は図１で示したＩＩ−ＩＩラインの拡大概略断面図である。
【００２４】
これらの図を参照して、建物２は、窓８を有する壁面３と、壁面３の外方側に設置されたベランダとなる構造体７ａ、７ｂとを備えている。そして、構造体７ａ、７ｂの間には、縦糸と横糸とで構成された複数の網目を有するネット５がネット係止具１０ａ、１０ｂを介して、被取付物である壁面３及び構造体７ａ、７ｂに取り付けられている。従って、ネット５から内方側（壁面３側）に鳥類等が侵入する虞が無い。
【００２５】
尚、このようなネット５の取付状態から、図２で示すようにネット５に対して内方側に力Ｐを加えることで、ネット５はネット係止具１０ａ、１０ｂから容易に取り外すことができる。ネット５とネット係止具１０ａ、１０ｂとの脱着の詳細に関しては後述する。
【００２６】
図３は図２で示したＸ部分の拡大図であり、図４は図３で示したＩＶ−ＩＶラインの断面図であり、図５は図３で示したＶ−Ｖラインの断面図である。
【００２７】
これらの図を参照して、ネット係止具１０は、構造体７に接着剤１２を介して固定される、ポリプロピレン、ポリカーボネート又はポリ塩化ビニル等の合成樹脂の押し出し成型によって形成された長手方向に延びる平板状のベース体２０と、ベース体２０に取り付けられたステンレス棒の折り曲げ加工により形成された係止体３０とによって構成されている。尚、ネット係止具１０は屋外に設置されることが多いため、ステンレス棒はＪＩＳ規格におけるＳＵＳ３０４以上の品質を有するものが望ましい。
【００２８】
まず、ベース体２０の構造について説明する。
【００２９】
ベース体２０は、その内方側の端面にテーパ状の溝２４が長手方向に連続して形成されている。又、上面の外方側には、後述する係止体３０の後端側部分３２を挿通するための、後端側部分３２の形状に対応した取付溝２１が長手方向に連続して形成されている。更に、上面の内方側には、短手方向の断面状態（図３の状態）において、その外縁が曲線状に形成された突起部２２が長手方向に連続して形成されている。尚、上述した通り、ベース体２０は合成樹脂の押し出し成型によって形成されているため、溝２４、取付溝２１及び突起部２２は、平板状のベース体２０の長手方向の一方の端部から他方の端部まで連続して形成されている。
【００３０】
次に、係止体３０について説明する。
【００３１】
係止体３０は、短手方向の断面状態においてＳ字状且つ平面視において波形状に形成されており、ベース体２０の長手方向に対して所定間隔をおいて整列する複数の先端側部分３１と、先端側部分３１の各々を連結するように所定間隔をおいて整列する、先端側部分３１を除く部分の一部である複数の後端側部分３２とを備えている。
【００３２】
先端側部分３１は、ベース体２０に組込まれない状態では、図３の二点鎖線で示すようにベース体２０の突起部２２より下方に位置するように加工されている。上述した通り、係止体３０はステンレス棒の折り曲げ加工により形成されているため、弾性変形が可能である。つまり、ベース体２０に組込まれた状態の係止体３０の先端側部分３１は、突起部２２と接することによって組込まれた状態より上方に位置する。従って、先端側部分３１は、ベース体２０の突起部２２に押し付けられるように付勢されることになる。且つ、先端側部分３１は弾性変形が可能であるため、上述した突起部２２との接触状態から、突起部２２から離れるように上方に移動することが可能である。
【００３３】
そして、ネット５の網目９の一部を構成する構造体７側の横糸１７は、係止体３０の先端側部分３１とベース体２０の突起部２２との間から挿通され、図で示すように係止体３０に取り付けられている。従って、ネット５が不用意に外れる虞が無いため、ネット５の取付状態が安定する。係止体３０の先端側部分３１の動作の詳細については後述する。
【００３４】
又、上述した通り、係止体３０ａ、３０ｂの各々には、長手方向に対して所定間隔をおいて整列する複数の先端側部分３１が形成されている。そのため、ネット５の横糸１７は複数の先端側部分３１に係合するため、ネット５の取付状態がより安定する。
【００３５】
後端側部分３２は、短手方向の断面状態において、ベース体２０の取付溝２１と略同一形状に形成されている。そして、取付溝２１は長手方向に連続して形成されているため、係止体３０はベース体２０に対して長手方向にスライド自在となっている。従って、ネット５に対する係止体３０の取付位置、即ち先端側部分３１の取付位置の微調整が可能となる。
【００３６】
又、係止体３０は短手方向の断面状態においてＳ字状に形成されているため、ベース体２０への取付状態（後述する挿入状態）において、長手方向に直交する方向（図３における紙面に平行な方向）に対して抜け止め状態となっている。従って、係止体３０はベース体２０の直交方向に対しては外れることが無い。そのため、ベース体２０に対する係止体３０の取付状態が安定する。ベース体２０に対する係止体３０の取り付け方法については後述する。
【００３７】
次に、ベース体２０に対する係止体３０の配置構成について説明する。
【００３８】
図６は図２で示したＶＩ−ＶＩラインの拡大断面図である。
【００３９】
図を参照して、上述した通り、ベース体２０は合成樹脂の押し出し成型により平板形状に形成されており、その長手方向（成形方向）の単位長さＡは４０ｃｍに設定されている。そして、複数の先端側部分３１を有する係止体３０ａ、３０ｂが取り付けられており、その各々の長手方向の単位長さＢは１０ｃｍに設定されていると共に、係止体３０ａ、３０ｂの各々の間隔の長さＣは１０ｃｍに設定されている。即ち、ベース体２０の長手方向の単位長さＡである４０ｃｍに対して、係止体３０ａ、３０ｂの各々の単位長さＢの合計が２分の１となっている。
【００４０】
従って、１つのベース体２０に対して、ネット５は２組の係止体３０ａ、３０ｂに係合する。そのため、ネット５の取付状態が更に安定する。
【００４１】
又、このような構成では、係止体３０ａ、３０ｂの各々の間隔の長さＣの部分におけるネット５の一部の横糸は係止体３０ａ、３０ｂに取り付けられていない。しかしながら、係止体３０ａ、３０ｂの各々が有する複数の先端側部分３１によって、ネット５の他の一部の横糸が水平（ベース体２０の長手方向）に係止体３０ａ、３０ｂの単位長さＢの分だけ取り付けられている。従って、長さＣの部分におけるネット５の移動（ベース体２０との間隔の広がり）が制限されるため、鳥類の浸入防止の支障とはならない。そのため、長さＣの部分に係止体３０ａ、３０ｂを設置させる必要が無くなるので、効率的なネット係止具１０となる。
【００４２】
次に、ベース体２０への係止体３０の取付方法について説明する。
【００４３】
図７は図３で示したベース体への係止体の取付方法を示す斜視図である。
【００４４】
まず（１）を参照して、ベース体２０の取付溝２１に対して、二点鎖線で示すように係止体３０の後端側部分３２の各々を長手方向に整列させる。この状態で、先端の後端側部分３２を取付溝２１に挿入しながら先端側部分３１を突起部２２に当たらないように持ち上げて、係止体３０をベース体２０の外部から長手方向に沿って移動させる。すると、取付溝２１に対応した形状の後端側部分３２の各々が次々と取付溝２１内に挿入され、（２）で示す状態となる。
【００４５】
次に（２）を参照して、このような状態から、更に外部に位置する後端側部分３２を取付溝２１内に挿入すると、図６で示すような取付状態（挿入状態）となる。このようにして、係止体３０はベース体２０に取り付けられる。従って、上述したように係止体３０はスライド自在になると共に、ベース体２０への挿入状態における長手方向の直交方向に対する抜け止め状態となる。更に、先端側部分３１の各々が突起部２２に押し付けられるように付勢されているため、先端側部分３１の各々と突起部２２との摩擦抵抗によって係止体３０が不用意にスライド移動する虞が無い。即ち、係止体３０をベース体２０の長手方向における所望の位置に確実に設置することができる。
【００４６】
次に、図３で示したネット係止具に対するネットの取付方法について説明する。
【００４７】
図８は図３で示したネット係止具にネットを取り付ける工程を示した断面図であって、図３に対応するものである。
【００４８】
まず（１）を参照して、ネット５の横糸１７をベース体２０の突起部２２と係止体３０の先端側部分３１との間に配置し、外方側に向かって力Ｆを加える。この時、先端側部分３１は突起部２２を押し付けるように付勢されているため、先端側部分３１と突起部２２との間にスペースが無い。
【００４９】
次に（２）を参照して、（１）の状態から更に外方側へ力Ｆを加え続けると、上述したように先端側部分３１は上方に変形可能であるため、ネット５の移動に伴って矢印で示すように先端側部分３１が上方に移動する。即ち、先端側部分３１にネット５の横糸１７が挿通可能な状態となる。
【００５０】
次に（３）を参照して、（２）の状態から更に外方側へ力Ｆを加え続けると、先端側部分３１からのネット５の横糸１７の挿通（装着）が完了する。即ち、ネット５の横糸１７が係止体３０とベース体２０との間のスペース３７に移動し、ネット５と係止体３０とが係合状態となる。その際、先端側部分３１は（２）の状態から矢印で示すように下方に移動し、再度突起部２２を押し付けるように付勢された状態となる。従って、係合状態のネット５の横糸１７が不用意に外れる虞が無いため、ネット５の取付状態が安定する。
【００５１】
このようにして、ネット５はネット係止具１０に取り付けられる。
【００５２】
次に、図３で示したネット係止具に対するネットの取外し方法について説明する。
【００５３】
図９は図３で示したネット係止具からネットを取り外す工程を示した断面図であって、図８に対応するものである。
【００５４】
まず（１）を参照して、係合状態のネット５に内方側への力Ｐを加えると、係止体３０とベース体２０との間のスペース３７に位置するネット５の横糸１７は、係止体３０に沿って内方側へと移動する。この時、先端側部分３１は突起部２２を押し付けるように付勢しているため、先端側部分３１と突起部２２との間にスペースが無い。
【００５５】
次に（２）を参照して、（１）の状態から更に内方側へ力Ｐを加え続けると、係止体３０は弾性変形が可能なため、ネット５の移動に伴って、矢印で示すように先端側部分３１が上方に移動し、先端側部分３１にネット５の横糸１７が移動可能な状態となる。
【００５６】
次に（３）を参照して、（２）の状態から更に内方側へ力Ｐを加え続けると、先端側部分３１からのネット５の横糸１７の通過（脱出）が完了する。即ち、ネット５と係止体３０との係合状態が解除される。その際、先端側部分３１は（２）の状態から矢印で示すように下方に移動し、再度突起部２２を押し付けるように付勢された状態となる。
【００５７】
このようにして、ネット５はネット係止具１０から取り外される。
【００５８】
図８及び図９で説明した通り、ネット係止具１０においては、係止体３０の先端側部分３１とベース体２０の突起部２２との間からネット５の横糸１７を直接脱着することができる。そのため、容易にネット５を脱着することができる。
【００５９】
図１０はこの考案の第２の実施の形態によるネット係止具を示す断面図であって、第１の実施の形態の図３に対応するものである。
【００６０】
尚、説明に当たっては、基本的には第１の実施の形態によるものと同一であるため、その相違点を中心に説明する。
【００６１】
まず（１）を参照して、この実施の形態によるネット係止具４０にあっては、係止体３０の先端側部分３１のベース体２０からの分離を阻止するための、ポリプロピレン等の合成樹脂よりなるロック体１５を更に備えている。
【００６２】
ロック体１５は、ベース体２０の長手方向に延びると共に、係止体３０の長手方向の単位長さとほぼ同じ長さとなるように形成されている。そして、二点鎖線で示す取付状態において、先端側部分３１の上方への移動を阻止するために先端側部分３１を覆うように長手方向に連続して形成された第１係合部４１と、ベース体２０の内方側に形成されたロック用突起部２７に係合する、長手方向に連続して形成された第２係合部４２と、短手方向の断面状態においてベース体２０の溝２４に脱着自在に嵌合する、長手方向に連続して形成された第３係合部４３とを備えている。
【００６３】
ロック体１５の取付状態においては、矢印で示すネット５の内方側への移動に伴う先端側部分の上方への移動は、ロック体１５の第１係合部４１によって阻止される。その際、ロック体１５の上方への移動は第３係合部４３とベース体の溝２４との係合によって阻止される。
【００６４】
従って、係止体３０の先端側部分３１におけるベース体２０からの不用意な分離が阻止される。即ち、先の実施の形態によるものとは異なり、ネット５に力を加えてもネット５が不用意にネット係止具４０から外れることが無い。そのため、係止体３０に対するネット５の取付状態の信頼性がより向上する。
【００６５】
次に、ロック体１５の取り外しについて説明する。
【００６６】
（２）を参照して、上述した通り、ロック体１５の第３係合部４３は、ベース体２０の溝２４に脱着自在に嵌合するように形成されている。従って、図の矢印で示すように内方側へ回転させるような力をロック体１５に加えると、二点鎖線で示す状態に容易に移動してロック体１５を外す事が可能となる。その結果、第１係合部４１と先端側部分３１との係合が解除され、先の実施の形態と同様に、ネット５の脱着が可能となる。
【００６７】
このように、ロック体１５はベース体２０に対して容易に脱着可能であるため、ネット係止具４０に対してネット５の脱着の際において支障となる虞が無い。
【００６８】
尚、上記の各実施の形態では、建物のベランダ間にネットを取り付ける際に適用されているが、例えば垂直に立設したポール間にネットを取り付ける等の鳥類の侵入防止以外の用途であっても、被取付物にネットの少なくとも一部を取り付ける場合であれば同様に適用できることは言うまでも無い。
【００６９】
又、上記の各実施の形態では、内方側と外方側とをベランダに対して規定しているが、係止体の先端側部分が外方側に位置するように向きを変更して使用しても良い。
【００７０】
更に、上記の各実施の形態では、先端側部分の各々にネットの横糸の各々が挿通して係合しているが、例えばネットの横糸の各々が複数の先端側部分に挿通して係合する等、ネットと係止体とが係合していれば、他の係合形態であっても良い。
【００７１】
更に、上記の各実施の形態では、ベース体は被取付物に接着剤によって固定されているが、例えばアンカーネジ等を介して被取付物に固定する等、ベース体が被取付物に固定されていれば他の方法であっても良い。
【００７２】
更に、上記の各実施の形態では、係止体はステンレス棒の折り曲げにより特定形状に形成されているが、ステンレス以外の金属棒の折り曲げにより特定形状に形成されていても良い。又は、ベース体に取り付けられ、その先端側部分にネットが挿通され、先端側部分がベース体に押し付けられるように付勢されると共に、先端側部分がベース体から離れるように変形可能であれば、合成樹脂等の他の素材及び他の形状であっても良い。
【００７３】
更に、上記の各実施の形態では、ベース体は合成樹脂の押し出し成型により形成されているが、長手方向に延びる平板形状を有していれば、他の素材及び成形方法によって形成されていても良い。又は、係止体を支持できる形状であれば、長手方向に延びる平板形状に限らず、他の形状であっても良い。
【００７４】
更に、上記の各実施の形態では、係止体には複数の先端側部分が形成されているが、先端側部分は少なくとも１つあれば良い。
【００７５】
更に、上記の各実施の形態では、係止体はベース体に対して特定の方法で取り付けられているが、例えば、係止体の一部をボルト等でベース体に固定する等、他の方法でベース体に取り付けられていても良い。
【００７６】
更に、上記の各実施の形態では、特定形状のベース体に特定形状の係止体が取り付けられているが、係止体の先端側部分を除く部分の一部がベース体の成形方向に沿って挿入されると共に、挿入状態において、成形方向に直交する方向に対して抜け止め状態にベース体に係合するように形成されていれば、ベース体及び係止体は他の形状であっても良い。
【００７７】
更に、上記の各実施の形態では、１つのベース体に対して係止体は２組係合しているが、ベース体の成形方向の長さに対して、係止体の各々の挿入方向の長さの合計が約２分の１以外でも良く、係止体は３組以上係合していても良い。又は、１つのベース体に対して係止体が１組のみ係合していても良い。
【００７８】
更に、上記の第２の実施の形態では、ロック体はポリプロピレン等の合成樹脂により形成されているが、係止体の先端側部分の移動を阻止できる強度を有するものであれば、他の素材により形成されていても良い。
【００７９】
更に、上記の第２の実施の形態では、ロック体は特定形状に形成されているが、係止体の先端側部分を覆うようにベース体に着脱自在に取り付けられ、係止体における先端側部分のベース体からの分離を阻止できれば、他の形状に形成されていても良い。
【符号の説明】
【００８０】
３…壁面
５…ネット
７…構造体
１０、４０…ネット係止具
１５…ロック体
２０…ベース体
３０…係止体
３１…先端側部分
尚、各図中同一符号は同一又は相当部分を示す。
【図１】
0003156987.tif 000003
【図２】
0003156987.tif 000004
【図３】
0003156987.tif 000005
【図４】
0003156987.tif 000006
【図５】
0003156987.tif 000007
【図６】
0003156987.tif 000008
【図７】
0003156987.tif 000009
【図８】
0003156987.tif 000010
【図９】
0003156987.tif 000011
【図１０】
0003156987.tif 000012
【図１１】
0003156987.tif 000013